Podtech/llm-jp-corpus-v4-ja_patent huggingface dataset:
(57)【要約】      （修正有）【課題】ゴミ袋式集塵機のゴミ袋の台紙とパッキンのシール効果を向上させて、ゴミ漏れを防ぐ。【解決手段】掃除機等がゴミ袋の台紙とパッキンとの、シールが不充分なためにゴミ漏れを生じやすい従来の機構に対して、掃除機等の本体側に台紙の止具とパッキンを設置する事により、台紙とパッキンが強く接する状態を作り出す事によりシール性能を高める。【選択図】図１
0003109706.tif 000002
【実用新案登録請求の範囲】
【請求項１】
小型ゴミ袋を使った家庭用掃除機や工業用小型集塵機におけるゴミ袋からのゴミ漏れを防ぐ目的でゴミ袋と一体の厚紙台紙のシール性能を向上させる機構。
小型ゴミ袋は、厚紙台紙の片面にゴミ袋が接着されているが、以後この面を台紙内面、袋が接着されていない面を台紙外面、内面、外面を特定しない場合は単に台紙と表記する。図示においては判別を容易にするために台紙のみを表示する。
【請求項２】
請求項１の目的を達成するために、台紙の穴あけ形状を改良する。
【考案の詳細な説明】
【技術分野】
【０００１】  本考案は、ゴミ袋式集塵機における本体側のパッキンとゴミ袋を密着させる・装置に関するものである。
【背景技術】
【０００２】  従来の装置は、集塵機本体のパッキンと台紙外面が弱い力のクリップ状の装置で軽く接している程度のシール状態であった。
【考案の開示】
【考案が解決しようとする課題】
【０００３】  ゴミ袋は集塵装置における第一のフィルターである。
ゴミ袋は通常ゴミ袋が台紙内面に接着されており、集塵装置側に取付けられた、ゴム状のパッキンに台紙外面が接してシールされて、ゴミはゴミ袋の中に吸引される。しかし、台紙とパッキンは通常クリップ状の装置で、軽く接しているシール状態なので、ゴミ袋の内面の目詰まりが進行した場合、若しくはゴミ量が増えてゴミ袋内の絶対面積が著しく減少すると、台紙とパッキンの間からゴミが漏れ出す、漏れたゴミは第二のフィルターの目詰まりを加速して、吸引力が低下する。モーターにも過重な負担がかかり、故障の原因にもなる。本考案はこれらの問題点を解決しようとするものである。
【課題を解決するための手段】
【０００４】  本考案は、パッキンと台紙を密着させるために集塵装置側に従来のクリップ状のものに換えて密着度を向上させるための止具を固定する。
一方、台紙側の穴あけもこの目的に適した形状にする事で問題を解決している。
【考案の効果】
【０００５】  上述の止具の平面的形状に合わせて穴あけをした台紙を押し当てて任意の方向に台紙を回転させると、台紙内面は止具の接面に接し、台紙外面はパッキンに接する、台紙は止具とパッキングの間に台紙の厚さ分、割り込むことで充分なシール効果が得られる。
【考案を実施するための最良の形態】
【０００６】  台紙の回転を容易にするために、止具の断面を円又は半円とする。これは台紙と止具の接点を面ではなく一線状にすることにある。パッキンにおいてはソフトタッチで、充分にシール効果を得るために中空形状にした。止具の数について図面上は、判別し易くするために２点となっているが、実施する際は３点又はそれ以上とする。
【実施例】
【０００７】  以下添付図面に従って実施例を説明する。
２，３で構成された止具に２に７を押し当て任意の方向に回転させる（図４）、その結果台紙外面はパッキンの５に接する。台紙内面は止具６と接する。５，６はほぼ同一平面上に位置しているので台紙外面は台紙の厚さ分パッキンに、強く押し付けられるので充分なシール効果が得られる。
止具２が回転する機構でも同じ効果が得られる。
【図面の簡単な説明】
【０００８】
【図−１】止具とパッキンの見取図、一部断面図である。
【図−２】図−１の側面断面図である。
【図−３】台紙の正面図であり穴あけの形状を示している。
【図−４】図−１の正面図に図−３を重ねた図である。
【図−５】図−４の台紙を９０度回転した図である。
【符号の説明】
【０００９】  １．集麈機本体
２．止具
３．止具固定筒
４．パッキン
５．パッキン接面部
６．止具接面部
７．台紙
８．台紙抜き穴
【図１】
0003109706.tif 000003
【図２】
0003109706.tif 000004
【図３】
0003109706.tif 000005
【図４】
0003109706.tif 000006
【図５】
0003109706.tif 000007
【手続補正書】
【提出日】平成16年12月2日(2004.12.2)
【手続補正１】
【補正対象書類名】実用新案登録請求の範囲
【補正対象項目名】全文
【補正方法】変更
【補正の内容】
【実用新案登録請求の範囲】
【請求項１】
台紙付のゴミ袋を使用する掃除機や集塵機において掃除機や集塵機の本体に取付けられたパッキン接着部と同一平面上に設置された台紙止具接着部の間に台紙を割込ませる事でシール性能を向上させ、ゴミ袋からのゴミ漏れを防ぐ機構。
【請求項２】
台紙の穴あけ形状に関して、止具固定筒の外形に合せた円状の穴をあけその穴の外側に止具の外形と同じ形の切取を止具の位置に合せて切取った台紙をパッキンにあてがうと止具固定筒と止具に接する事無く台紙はパッキンに押し当てられ、任意の方向に台紙を回転する事によって台紙はパッキンにその厚さ分接する事によりシール効果が得られる穴あけがなされた台紙の形状。
(57)【要約】      （修正有）【課題】自転車用ハンガ装置において、部品点数の少ない簡易な構成でハンガラックにクランクシャフトを確実に固定することを課題とする。【解決手段】ハンガラック１にクランクシャフト２が挿通された自転車用ハンガ装置において、前記クランクシャフトのハンガラック内両側にそれぞれ環状の凸条３を形成し、前記凸条３と前記ハンガラック１の両側開口部との間に含油材よりなるリング状の押さえ部材６を装着し、前記押さえ部材によってクランクシャフトをハンガラックに固定して構成する。【選択図】図１
0003109800.tif 000002
【実用新案登録請求の範囲】
【請求項１】
ハンガラックにクランクシャフトが挿通され、前記クランクシャフトのハンガラック内両側にそれぞれ環状の凸条が形成され、前記凸条と前記ハンガラックの両側開口部との間に含油材よりなるリング状の押さえ部材が装着され、前記押さえ部材によってクランクシャフトがハンガラックに固定された、自転車用ハンガ装置
【請求項２】
押さえ部材は含油メタル製とした、請求項１記載の自転車用ハンガ装置
【請求項３】
押さえ部材は、ハンガラックの外側から貫通するネジ及び押さえ部材の外面に塗布された接着剤によってハンガラックに固定された、請求項１又は２に記載の自転車用ハンガ装置
【考案の詳細な説明】
【技術分野】
【０００１】
この考案は、自転車のクランクシャフトを支持するハンガ装置に関するものである。
【背景技術】
【０００２】
【特許文献１】登録実用新案第３００７７２８号
【０００３】
従来のハンガ装置は、上記特許文献に開示されているように、ハンガラックに装着されたクランクシャフトの両端部がリテーナー（ボールベアリング）を介してハンガラックに支持される構造となっている。
そのためにクランクシャフトをハンガラックに固定するためには、リテーナー、リテーナーを押さえる椀とが必要であり、更に椀を保持するための中パイプが必要とされている。そして、リテーナー及び椀を所定の位置に保持する必要があり更に椀の回転を阻止しなければならないので、組立に高い精度が要求されていた。
【考案の開示】
【考案が解決しようとする課題】
【０００４】
この考案は、部品点数の少ない簡易な構成でハンガラックにクランクシャフトを確実に固定することを課題とするものである。
【課題を解決するための手段】
【０００５】
この考案は、ハンガラックにクランクシャフトが挿通された自転車用ハンガ装置において、前記クランクシャフトのハンガラック内両側にそれぞれ環状の凸条を形成し、前記凸条と前記ハンガラックの両側開口部との間に含油材よりなるリング状の押さえ部材を装着し、前記押さえ部材によってクランクシャフトをハンガラックに固定して構成する。
前記押さえ部材は耐久性の面から含油メタル製が好ましい（請求項２）が、含油樹脂を用いることもできる。
前記押さえ部材はハンガラックに強固に固定することが必要であり、、ハンガラックの外側から貫通するネジ及び押さえ部材の外面に塗布された接着剤によってハンガラックに固定することが好ましい（請求項３）。
【考案の効果】
【０００６】
この考案によれば、含油材製の押さえ部材によってクランクシャフトをハンガラックに固定する構成であるから、押さえ部材がリテーナーの機能を果たすこととなり、リテーナー及びこれを押さえる椀、更に椀を保持するための中パイプが不要となる。っして、押さえ部材は予め成型された部品として供給されるので、組立時に制度は要求されない。
したがって、この考案によれば、ハンガ装置の部品点数が少なく、かつ組立は極めて容易となり、不良品の発生も可及的に防止される。
【考案を実施するための最良の形態】
【０００７】
図において、ハンガラック１にクランクシャフト２が挿通されている。このクランクシャフト２のハンガラック内の両側にはそれぞれ環状の凸条３が形成してあり、各凸条３と前記ハンガラック１の両端開口部との間に押さえ部材４が装着してある。
前記押さえ部材４は含油メタル製であって、クランクシャフト２を挿通するための孔を有するリング状としてある。そして、その大きさは前記孔の内径をクランクシャフト２の周面に密接するようにし、外周面は前記ハンガラック１の内周面に密接するようにしてある。
なお、チェンリング５側の押さえ部材は、外側端に鍔６を形成してある。鍔６によりハンガラック内への埃の進入を防止することができる。鍔６は双方の押さえ部材に形成してもよい。
前記押さえ部材４は、ハンガラック１の外側から挿通されたネジ７で固定すると共に、押さえ部材４の外周面に接着剤を塗布し、この接着材によってもハンガラック１に固定することにより、押さえ部材４のハンガラック１への固着状態を確実なものとしている。
図中符号８はペダルクランクである。
【０００８】
上記のハンガ装置において、クランクシャフト２は押さえ部材４によってハンガラック１に固定され、押さえ部材４は含油メタル製であるからベアリング機能を果たし、クランクシャフトはスムーズに回転する。
【０００９】
上記実施形態のハンガ装置を組み立てる工程は、ハンガラック１にクランクシャフト２を挿通し、次いで両側に接着剤を塗布した押さえ部材４を押し込んだ後、ネジ７を締め付ける。
上記工程のみでハンガ装置を組み立てることができ、組立の際に精度は要求されないので、従来の構成と比較して組立の作業性は飛躍的に向上する。
【産業上の利用可能性】
【００１０】
この考案のハンガ装置は、簡易な構成でかつ組立精度が要求されないので組立作業性が向上し、かつ不良品の発生も防止できるものであって、産業上の利用可能性を有するものである。
【図面の簡単な説明】
【００１１】
【図１】この考案実施形態の断面図
【符号の説明】
【００１２】
１    ハンガラック
２    クランクシャフト
３    凸条
４    押さえ部材
５    チェンリング
６    鍔
７    ネジ
８    ペダルクランク    
【図１】
0003109800.tif 000003
(57)【要約】      （修正有）【課題】梨園の整枝剪定作業で、特に捻枝作業においては、長果枝及び中果枝に傷をつける為の道具をいちいち腰の収納ケースに戻し両手を使い曲げていた。又、枝も急角度に低く水平に曲げることが困難で怪我も多く労働的負担が多かったが、小さな力で枝を折らずに簡単に曲げることが可能にする目的の捻枝器を提供する。【解決手段】鋏の先端部に複数の半円状の刃で形成した押刃１と、この押刃を受けるためのＬ形の受け座２をとり付け形成し、はさみながら枝に傷を入れひねることにより、小さな力で枝を折らずに急角度に低く水平に曲げることが出来る。又、押刃側のかしめ部付近に半円状のガイド３を設け、細い枝から太い枝まで同じ要領で対応できるようにし、受け座側のかしめ部付近には、鋏を開いた際、握りやすくする為のストッパー４を設けたことにより、小さな力で枝を折らずに簡単に曲げることができ、高齢者や女性でも作業できることを可能にした。【選択図】図３
0003109773.tif 000002
【実用新案登録請求の範囲】
【請求項１】
鋏の先端部に複数の半円状の刃で形成した押刃と、この押刃をうけるためのＬ形の受け座をとり付け形成し、小さな力で、枝を折らずに急角度に低く水平に曲げることが出来るところを特徴とする捻枝器。
【請求項２】
押刃側のかしめ部付近に、半円状のガイドを設け、細い枝から太い枝まで同じ要領で対応できるようにし、受け座側には、鋏を開いた際に握りやすくする為のストッパーを設け形成した請求項１の捻枝器。
【考案の詳細な説明】
【技術分野】
【０００１】  本考案は、鋏の先端部に押刃と受け座をとり付け、枝の太さを考慮したガイドとストッパー機能を持たせ形成した捻枝器に関するものである。
【背景技術】
【０００２】  従来、梨園の整枝剪定作業では、長果枝及び中果枝にカッター等で傷をつけ両手で枝をひねりながらの捻枝（枝曲げ）作業であった。
【考案の開示】
【考案が解決しようとする課題】
【０００３】  梨園の整枝剪定作業で、特に捻枝作業においては、長果枝及び中果枝に傷をつける為の道具をいちいち腰の収納ケースに戻し両手を使い曲げていた。又、枝も急角度に低く水平に曲げることが困難で怪我も多く労働的負担が多かった。捻枝器による作業で、小さな力で枝を折らずに簡単に曲げることが可能になり、問題点を解決しようとするものである。
【課題を解決するための手段】
【０００４】  本考案は、鋏の先端部に複数の半円状の刃で形成した押刃と、この押刃を受けるためのＬ形の受け座をとり付け形成し、はさみながら枝に傷を入れひねることにより、小さな力で枝を折らずに急角度に低く水平に曲げることが出来る。又、押刃側のかしめ部付近に半円状のガイドを設け、細い枝から太い枝まで同じ要領で対応できるようにし、受け座側のかしめ部付近には、鋏を開いた際、握りやすくする為のストッパーを設けたことにより、問題点を解決している。
【考案の効果】
【０００５】  従来、梨園の整枝剪定作業は、長果枝及び中果枝にカッター等の器具で傷を入れ、器具を腰の収納ケースに収め、両手で枝を曲げていた為、労力と時間に無駄が多かった。本考案は、鋏の先端部に、押刃、受け座、ガイド及びストッパーを設け形成したことにより、手の上げ降ろし回数も少なくなり、僅かな労力での作業が可能な為、高齢者や女性にも簡単に扱え、怪我や腱鞘炎等の対策も克服出来た。
【考案を実施するための最良の形態】
【０００６】  捻枝器の押刃が左側になるように持ち押刃と受け座を開く。曲げようとする枝にガイドを押し当て、押刃と受け座ではさみ、傷を入れる。さらに、角度と位置を変えて傷を入れながら捻り、片方の手で枝を水平に倒す。捻枝器を腰の収納ケースに収め、傷を入れて曲げた部分を保護し整枝する。使用後は、安全レバーを掛け、押刃と受け座を固定し収納する。
【実施例】
【０００７】  以下、添付図面に従って実施例を説明する。１、２、３、４、５の材質はステンレスで、１は枝に傷を入れる為の複数の半円状の刃を設け形成した押刃、２は枝を受ける為のＬ型に形成した受け座で、それぞれ鋏の先端部で溶接した。３は枝をはさみながら傷を入れる際、枝の太さに関係なく、同じ要領で対応できる半円状のガイドであり、図４−（１）の要領にて枝をガイドに押し当て、押刃と受け座ではさみ、傷を入れる。さらに、図４−（２）のように角度と位置を変えて傷を入れ、捻りながら枝を倒し、僅かな労力で急角度に低く水平に曲げることが出来る。４は捻枝器を開いた際、握りやすい位置で止まるストッパーで、５は鋏の開閉支点のかしめ部で、押刃及び受け座の交換が簡単に出来るようにボルト・ナット止めとした。【０００８】  ６は立ちバネで、鋏の開閉を自在にする付属必要部品であり、７はハンドルで、捻枝器の軽量化の為、材質をアルミニウムとした。８は安全レバーで、材質をプラスチックとし、ハンドルの端部で回動できるようにかしめた。使用後は、安全レバーで押刃と受け座を固定し、腰のベルトのケースに収納する。
【産業上の利用可能性】
【０００９】  梨園での整枝剪定作業、特に捻枝（枝曲げ）作業においては、無駄な労力と時間を使い、怪我や腱鞘炎にかかる人も多かったが、この捻枝器を使うことによってこれらの問題を克服でき、高齢者や女性でも作業が可能になった。又、枝を急角度に低く水平に曲げることができるので養分も枝の先まで行きわたり、より大きく美味しい梨の収穫が期待できる。
【図面の簡単な説明】
【００１０】
【図１】      本考案の正面図
【図２】      本考案の側面図
【図３】      本考案の先端部を示す詳細図
【図４】      （１）使用方法図  （２）刃を入れる場所の説明図
【符号の説明】
【００１１】１  押刃
２  受け座
３  ガイド
４  ストッパー
５  かしめ部
６  立ちバネ
７  ハンドル
８  安全レバー
【図１】
0003109773.tif 000003
【図２】
0003109773.tif 000004
【図３】
0003109773.tif 000005
【図４】
0003109773.tif 000006
(57)【要約】      （修正有）【課題】旗布地の中央にポールを設ける幅広の昇り旗において、風に煽られても旗布地がめくり上ることを少なくし、まためくり上ったとしても元に戻ることができる昇り旗を提供する。【解決手段】旗布地１の上辺と幅方向の中央に袋縫い部２、３を形成し、この袋縫い部の交点を斜めに切落して空隙部を形成し、縦方向の袋縫い部の下端袋口を部厚く形成すること、さらに旗布地の下辺の中央に対して角αを設けて上方に裁断して横方向の袋縫い部に横棒４を、縦方向の袋状部に立ポール５を挿通してなる昇り旗であって強風に対して、旗のめくり上りや旗の転倒を防ぐ。【選択図】図１
0003109776.tif 000002
【実用新案登録請求の範囲】
【請求項１】
旗布地（１）の上辺と、該布地（１）の幅方向の中央に袋縫い部（２），（３）を形成し、この袋縫い部（２），（３）の交点を斜めに切落して空間部（６）を形成し、縦方向の袋状部の下端袋口（２−１）をいく重にも折込むか、又は輪状の紐体を縫い込んで部厚く形成し、さらに該旗布地の下辺を中央に対して角αを設けて裁断し、横方向の袋状部（３）に横棒（４）を、縦方向の袋状部（２）に立ポール（５）を挿通してなる昇り旗。
【考案の詳細な説明】
【技術分野】
【０００１】
本考案は昇り旗の構造に関するものである。
【背景技術】
【０００２】
一般に見られる昇り旗は、長方形の旗布地の上辺および一方の側辺にいくつかの乳輪を設け、これに横棒と立ポールを通して使用するのが普通である。
【０００３】
また２枚の長方形の旗布地を乳輪を用いて接合し、この乳輪に立ポールを挿通した幅広の昇り旗も公知である。
【特許文献１】実用新案登録第３０７２６２３号公報
【考案の開示】
【考案が解決しようとする課題】
【０００４】
上記公知例に示されているような幅広の昇り旗は、旗の面積が広いため多くの宣伝広告が出来る利点がある。しかし風当りが強く旗は風に煽られて上方にめくり上り易く、下方の乳輪がポールのジョイント部に喰い込み元に戻らなくなって、旗の宣伝効果が薄くなり見苦しい形状となるため、その都度乳輪の喰い込みを外すこととなる。
【課題を解決するための手段】
【０００５】
考案者はこの点に鑑み鋭意試作研究を続けた結果本考案に到達したものであって、本考案は、旗布地の中央にポールを設ける幅広の昇り旗において、風に煽られても旗布地がめくり上ることを少なくし、まためくり上ったとしても元に戻る構成を完成させたものである。
【０００６】
即ち本考案の昇り旗は、旗布地の上辺と中央に袋縫い部を形成し、しかも上辺の袋縫い部と中央の袋縫い部の交点を切落して空間部を形成すること、さらに中央の袋縫い部の下端袋口を部厚く形成することおよび旗布地の下辺を角αを設けて斜めに裁断することによって、上辺の袋縫い部（３）に横棒（４）を、中央の袋縫い部（２）に立てポール（５）
を挿通して昇り旗を完成させたとき、空間部は風の通り口となり、下方の旗布地は斜めに裁断しているため面積が小さくなって風による煽りが少なく、また下方の袋口端には厚みがあるためジョイント部への喰い込みを防げるばかりか、ポール（５）の挿通を容易とする。
【考案の効果】
【０００７】
本考案の昇り旗は、上述のように幅広の旗布地の下辺を中央に対して角αをもって裁断し、旗布地の上辺と中央を袋縫いし、この袋縫い部の交点に空間部を設け、中央の袋縫い部の下端の筒状部口を重ね折りするか、輪状の紐のようなものを入れて縫合することによって、旗が強風によって煽られたときでも、旗布地全体の面積が小さくなり、前記空間部は風の通り抜け口となり、また旗布地の中央袋縫い部の下端を部厚く成形してあるため、風によって旗布地がめくり上っても、この部分がポールのジョイント部に喰い込まれることなく旗は自然と元に戻るようになり、旗文字が見えにくくなることがなく、旗のＰＲ効果を十分発揮することができる。
【考案を実施するための最良の形態】
【０００８】
添付図面により本考案の実施の形態を説明すると、図１は本考案の昇り旗の旗部分の全体を表わす正面図、図２は正面図側から斜視図を示し、図３は裏面図を示すものであって、旗中央のポール（５）は図示していないが中間位置に伸縮を操作するジョイント部が設けてある通常に使用されているポールである。
【実施例】
【０００９】
本考案の実施例を添付図面により説明する。図１は本考案の昇り旗の正面図であって、幅広の旗布地（１）を使用していて、下辺は旗布地中央に対して角αを設けて旗の面積を小さくし、上辺には全幅に亘って袋縫い部（３）を形成し、この布地（１）の中央にも図２，図３に示すように袋縫い部（２）を形成する。
【００１０】
そしてこの上辺の袋縫い部（３）と中央の袋縫い部（２）の交点を斜めに切落すことによって布地（１）を展開したとき三角形の空間（６）が形成され、上辺の袋縫い部（３）に横棒（４）を挿入し、中央の袋縫い部（２）には立ポールを挿入して昇り旗を完成させる。（図示にあっては立ポールの下部は作図上省略している）
【００１１】
立ポール（５）の頂部には回転金具（７）を設けて横棒（４）と接続しているため風に逆うことなく回動する。また旗布地上部の空間部（６）は風の吹き抜け部となり、さらには裁断角αを大きくすることによって風の抵抗を緩和するため強風によって旗の転倒を防げる。なお図示していないが、下辺の裁断角αを大きくすることによって旗全体を三角形状にすることも可能である。
【００１２】
さらに旗布中央の袋縫い部（２）の下端口部分（２−１）は折込んで縫合するか、輪状の紐（図示していない）などを縫い込んで部厚く形成するため、旗布が強風によって煽られてずり上っても、この袋口端がポールのジョイントに喰い込むことなく旗布は元に戻り、昇り旗が見にくい状態となることはない。
図２および図３は本考案の昇り旗の構成を理解するための説明図であって、図２は斜視図を示し、図３は裏面図を示している。
【産業上の利用可能性】
【００１３】
前述した通り本考案の昇り旗は、従来からの昇り旗に較べて幅広のため宣伝量が大きく、また風によって煽られにくい特性があるため、この利用価値は大であり実施化の可能性は大いに有る。
【図面の簡単な説明】
【００１４】
【図１】旗部分の正面図
【図２】旗の構成を示す斜視図
【図３】旗部分の裏面図
【符号の説明】
【００１５】
１  旗布地
２  縦中央の袋縫い部
３  上辺の袋縫い部
４  横棒
５  立てポール
６  切込みによる空間部
７  頭部回転金具
２−１  袋縫い口下端
α  旗布地下辺の裁断角度
【図１】
0003109776.tif 000003
【図２】
0003109776.tif 000004
【図３】
0003109776.tif 000005
(57)【要約】【課題】蓋の取り外しをすることなく容易に中身の爪楊枝を取り出すことができると同時に、ほこりの侵入がきわめて少ない包装容器入り爪楊枝を提供する。【解決手段】多数の爪楊枝１を束ねるように集合させてこれを包装兼収納容器で覆った包装容器２入り爪楊枝Ａにおいて、包装容器２の側壁上端部から天井縁部にかけて指先大の貫通孔３とこれを覆う解放可能なカバー４を設けて、本考案の取り出し容易な包装容器入り爪楊枝Ａとする。その際、貫通孔３を始めから刳り貫いて形成するのでなく、その輪郭に相当する切れ込み５を形成して、ユーザーの手作業により容易に貫通孔３が形成されるようにしてもよい。【選択図】  図１
0003109771.tif 000002
【実用新案登録請求の範囲】
【請求項１】
多数の爪楊枝を束ねるように集合させてこれを包装兼収納容器で覆った包装容器入り爪楊枝において、該包装容器の側壁上端部から天井縁部にかけて指先大の貫通孔とこれを覆う解放可能なカバーを設けたことを特徴とする取り出し容易な包装容器入り爪楊枝。
【請求項２】
多数の爪楊枝を束ねるように集合させてこれを包装兼収納容器で覆った包装容器入り爪楊枝において、該包装容器の側壁上端部から天井縁部にかけて指先大の貫通孔を容易に作り得る切れ込みを設けたことを特徴とする取り出し容易な包装容器入り爪楊枝。
【考案の詳細な説明】
【技術分野】
【０００１】この考案は、爪楊枝を使用する際に取出し易い包装容器付き爪楊枝に関する。
【背景技術】
【０００２】爪楊枝は食事毎の消耗品として頻繁に消費されるものであるから、その商品形態も、購入した消費者が直ちにこれを食卓に置いて使用できるように、３００本程の爪楊枝を爪先を下にして束ねるように集め、これを直径及び高さが数ｃｍ程度の円筒状の薄いプラスチック製蓋付き包装容器内に満員状態にして詰め、購入者は開封後に詰め替えを行なうことなくこの包装を兼ねた容器の薄い回し蓋を外してそのまま使えるようにしてある。
【考案の開示】
【考案が解決しようとする課題】
【０００３】こののような現状において、食卓に置かれた上記の包装容器入り爪楊枝は、蓋を取り外しっぱなしにしておけば中身の爪楊枝を取り出し易いものの、ほこりが入りやすいという問題点があり、一方、蓋を爪楊枝の使用の都度に外して中身を取り出すという操作は甚だ面倒であるという問題点があった。【０００４】本考案はかかる問題点を解決して、蓋の取り外しをすることなく容易に中身の爪楊枝を取り出すことができると同時に、ほこりの侵入がきわめて少ない包装容器入り爪楊枝を提供することを課題とする。
【課題を解決するための手段】
【０００５】多数の爪楊枝１を束ねるように集合させてこれを包装兼収納容器で覆った包装容器２入り爪楊枝Ａにおいて、包装容器２の側壁上端部から天井縁部にかけて指先大の貫通孔３とこれを覆う解放可能なカバー４を設けて、本考案の取り出し容易な包装容器入り爪楊枝Ａとする。【０００６】その際、貫通孔３を始めから刳り貫いて形成するのでなく、その輪郭に相当する切れ込み５を形成して、ユーザーの手作業により容易に貫通孔３が形成されるようにしてもよい。【０００７】いずれの場合も、貫通孔３を形成する位置は包装容器２の上側面と天井面との境の稜線にまたがる箇所であり、その箇所にあってのみ密集した爪楊枝のうちの１本を指先で摘み出すことが可能であることが判明した。
【考案の効果】
【０００６】本考案はこのような構成であるから、これを購入したユーザーはカバー４を外すか或いは切れ込み５で囲まれた部分をちぎり離して貫通孔３を顕現させ、その箇所で露出した爪楊枝１の端を摘み出すか、或いは包装容器２の底を指先で弾いて爪楊枝を一部飛び出させることにより、容易に爪楊枝１を取り出して使用することができる。従って包装容器２の蓋を取り外す必要が無く、そのまま卓上に放置してもほとんどほこりが入らず、容器を転倒しても爪楊枝をあまり散逸させないで済むという効果がある。
【考案を実施するための最良の形態】
【０００７】直径約５５ｍｍ、高さ約６０ｍｍで肉厚約０．３ｍｍのポリエチレンからなるねじ込み蓋付き円筒容器の蓋に相当する天井から側上部にかけての稜線をまたぐように、直径約１５ｍｍの貫通孔を刳り貫き、その上を粘着ラベルで覆ってシールする。内部には爪楊枝約３００本を尖部を下にし隙間無く詰めて、該容器をそのまま包装材とし製品化する。なお本考案はかかる形態に限るものでないことは言うまでもない。
【産業上の利用可能性】
【０００８】このように本考案の包装容器入り爪楊枝は、在来の低コストな包装と詰め替えを兼ねた形態のものを基本的に踏襲して製造することができ、ユーザーのメリットも大きいから、産業上の利用可能性は十分であるといえる。
【図面の簡単な説明】
【０００９】
【図１】本考案一例の見取図
【図２】本考案別例の見取図
【符号の説明】
【００１０】  １……爪楊枝
２……包装容器
３……貫通孔
４……カバー
５……切れ込み
Ａ……包装容器入り爪楊枝
【図１】
0003109771.tif 000003
【図２】
0003109771.tif 000004
(57)【要約】【課題】本考案は、衛生的で多目的に利用される、視覚的にもスマートなコップの把手を、提供する。【解決手段】コップ（２）の開口部の外周縁面（３）に対して、似平行にコップ把手本体（１）の頂天部分に、把手スタンド（４）を設ける、さらに把手スタンド（４）の表面に突起（５）を設け、またコップ把手本体（１）の一端に差込穴（６）を設け、そして下向きに置かれたコップ（２）の開口部の外周縁面（３）が、床面（７）から適当なる高さで非接触に保持するように、このコップ把手本体（１）をコップ（２）の側面に装着して設ける。【選択図】  図  ３
0003109772.tif 000002
【実用新案登録請求の範囲】
【請求項１】
コップ（２）の開口部の外周縁面（３）に対して、似平行にコップ把手本体（１）の頂天部分に、把手スタンド（４）を設ける、さらに把手スタンド（４）の表面に突起（５）を設け、またコップ把手本体（１）の一端に差込穴（６）を設け、そして下向きに置かれたコップ（２）の開口部の外周縁面（３）が、床面（７）から適当なる高さで非接触に保持するように、このコップ把手本体（１）をコップ（２）の側面に装着して設けてなる、コップ把手。
【考案の詳細な説明】
【技術分野】
【０００１】  本考案は、衛生的なコップ（２）を提供する技術に関するものである。
【背景技術】
【０００２】  従来、日常的に使われているコップ（２）は、台所、洗面台、風呂場等、あらゆる場所に使われているが、その現状は以外に非衛生な状態で利用されていた。
【考案の開示】
【考案が解決しようとする課題】
【０００３】  現在、使用後の洗ったコップ（２）は水切りを考えると、ごく当たり前に被せた形、つまり開口部を下に伏せて置かれている事がほとんどである。【０００４】  また、コップ（２）の形状や構造がほとんど、コップの外底で置く、あるいは逆さまに被せて置く、それ以外にない状況である。【０００５】  つまりコップ（２）を上向きに置くと、コップ内部の水滴が底に溜まり、内部で乾燥せず非常に非衛生である。また、空気中に浮遊しているゴミ、ホコリ、雑菌等がコップ内部に入り非衛生である。とくに逆さまの下向きにして置くと、前記の非衛生面は回避できるが、床面（７）には雑菌等含めての水等があり、飲み口があたる部分、つまりコップの外周縁面（３）は、口に触れる所なので、置き場所により極めて不衛生になり得るのである。
本考案は、このような問題を改善する為になされたものである。
【課題を解決するための手段】
【０００６】  まず、コップ（２）の開口部の外周縁面（３）に対して、似平行で少し角度を持ったコップ把手本体（１）の頂部となる、把手スタンド（４）を設ける、この把手スタンド（４）はコップ（２）を、逆さまの下向きに置くための足、つまりスタンドであって、洗って使い終わったコップ（２）はこの部分で、置くものである。さらには、把手スタンド（４）の表面に突起（５）を設ける。またコップ把手本体（１）の一端に差込穴（６）を設ける。この差込穴（６）は歯磨ブラシ（８）やスプーンおよびホーク等を差しておける重宝なものである。そして、下向きに置かれたコップ（２）には、開口部の外周縁面（３）が、床面（７）から適当なる高さで非接触に保持するように、このコップ把手本体（１）を設け、コップ（２）の側面に装着する。とくに、この前記把手本体は開口部の外周縁面（３）を床面（７）より、離して下向きに安定させて、コップ（２）を保持させるものであり、さらに把手スタンド（４）の表面に突起（５）を設けることにより、床面（７）に汚れた水等があった場合、前記スタンドの表面にその水等がペッタリと付着する恐れが生じるので、突起（５）の部分だけで、その水等の面より持上げた状態で、コップ（２）を保持させている。このようにすることで、より衛生的になるのである。
【考案の効果】
【０００７】  １．コップを下向きに置けるので、コップ内部の水等が溜まらなくなり、浮遊するゴミやホコリ、雑菌が入らなくなり衛生面で、大幅に向上した。
２．下向きでもコップの外周縁が、非接触に浮いている状態で置けるので非常に衛生的である。
３  さらに、歯磨ブラシやスプーン、ホーク等をコップに設けられる等、付加価値が上がった。
【考案を実施するための最良の形態】
【０００８】  図２のごとくに、洗面台の上やテーブルの上の汚れている、床面（７）等の状況でも、下向きのコップ（２）の外周縁面（３）がこれらから、浮かした状態の非接触高さ（９）になるような、スタンド足になっているコップ把手本体（１）を、コップ（２）の側面に設ける。そしてこの前記把手本体の頂天部分に把手スタンド（４）を設ける。【０００９】  さらにこの把手スタンド（４）の表面に、図１のごとく、突起（５）を設ける。あるいは図２のごとく、把手スタンド（４）の表面を、曲面にして角をカーブ突起（１０）にして、非接触高さ（９）を得る方法もベストモードである。そして図３に示すように歯磨ブラシ（８）、またはスプーン、ホークが収められる差込穴（６）を設ける。【００１０】  また、よりベストモードとして、コップ把手本体（１）を市販されているコップ（２）の把手に着脱出来るように形成してもよい。さらに図１で示すごとく、内面に縦溝の水切り溝（１１）を設けたコップ（２）を形成し、本考案と組み合わせる事で、より衛生的な効果を上げることができる。
本考案は、以上のような構成であり、これを使用せんとするときには、【００１１】  図４のごとく、コップセットとして利用も可能であり、通常のコップとして利用し、洗浄後に保管する時には、このコップの把手部分で下向きに置いて使ってもらうだけで、非常に衛生的な取扱いとしてなされている。
【図面の簡単な説明】
【００１２】
【図１】    本考案の斜視図である。
【図２】    本考案の実施図である。
【図３】    本考案の歯磨ブラシのセット斜視図である。
【図４】    本考案の多目的利用説明図である。
【符号の説明】
【００１３】    １  コップ把手本体
２  コップ
３  外周縁面
４  把手スタンド
５  突起
６  差込穴
７  床面
８  歯磨ブラシ
９  非接触高さ
１０  カーブ突起
１１  水切り溝
【図１】
0003109772.tif 000003
【図２】
0003109772.tif 000004
【図３】
0003109772.tif 000005
【図４】
0003109772.tif 000006
(57)【要約】      （修正有）【課題】自転車の子供用補助椅子にあらかじめ装着することができ、子供を乗せた後に子供と子供用補助椅子全体を同時に覆えるような形状のマントを提供する。【解決手段】全身部下部中央付近に設けた切り込み部１を自転車ハンドル中心柱２に挟み込む様に結合させる。切り込み部１に、結合部材３を設けることにより、自転車と本校案の装置を固定することが出来る。又、後身部中央付近に開閉部４が設けられ、本開閉部により、子供に本校案マントを着脱させることが出来ることが出来るとともに子供の昇降も容易に出来る。【実用新案登録請求の範囲】
【請求項１】
前身部中央部に切り込み部を設けたことを特徴とする自転車の子供用補助椅子用マント。
【請求項２】
後身部に開閉部を設けたことを特徴とする請求項１記載のマント。
【請求項３】
裾部に通穴を設けたことを特徴とする請求項１乃至請求項２記載のマント。
【考案の詳細な説明】
【技術分野】
【０００１】  本考案は、自転車の子供用補助椅子に乗った子供のためのマントに関するものである。
【背景技術】
【０００２】  子供が自転車の子供用補助椅子に乗る際、冬場など寒い時は既存のジャンパーやコートを着せて乗っていた。また雨が降っているときは、既存のレインコートなど雨具を使用して乗っていた。
【考案の開示】
【考案が解決しようとする課題】
【０００３】  しかし、ジャンパーやコートでは手や足が隠れないので風が当たり、子供が寒い思いをしていた。そのため別途手袋を着用したりしなくてはならず、子供連れの母親にとっては荷物が多くなり負担となる。ジャンパーやコートはかさばるため、それもまた乗り降りの際の負担であった。また雨の時も同様にレインコートで覆われている部分以外の体の部分が雨にぬれてしまっていた。【０００４】  そこで、本考案は、子供が乗った状態で、子供と自転車の子供用補助椅子全体を覆うマントを提供するものである。
【課題を解決するための手段】
【０００５】  本考案は、最初に自転車、または自転車の子供用補助椅子にあらかじめ装着することができ、子供を乗せた後に子供と子供用補助椅子全体を同時に覆えるような形状のマントを提供するものである。
【考案の効果】
【０００６】  本考案マントを使用することにより、ジャンパーやコートから出ている例えば手足などを覆うことができ、防寒や雨よけの役割を果たす。また、自転車または自転車の子供用補助椅子にあらかじめ装着しておくことが出来るため、乗り降りの際は、子供だけを乗せたり降ろしたり出来るので、本考案の自転車の子供用補助椅子用のマントを置く場所などに困ることがない。
【考案を実施するための最良の形態】
【０００７】  以下、図面にもとづいて本考案の実施の形態を説明するが、本考案が本実施例に限定されるわけではないことは言うまでもない。【０００８】  図１は、本考案マントの正面図である。前身部下部中央付近に設けた切り込み部１を自転車ハンドル中心柱２に挟み込む様に結合させる。切り込み部１に、結合部材３を設けることにより、自転車と本考案の装置を固定することが出来る。【０００９】  図２は、本考案マントの背面図である。後身部中央付近に開閉部４が設けられている。本開閉部により、子供に本考案マントを脱着させることが出来るとともに子供の昇降も容易に出来る。【００１０】  図３は、本考案マントと自転車との結合状態を示す拡大図である。本考案装置は、子供乗せ用補助具に装着するのではなく、自転車本体に装着させるため、子供をスッポリと包み込む状態にすることが可能である。【００１１】  本考案マントの使用方法を説明する。まず本考案マントを自転車ハンドル中心柱に結合させ、後身部の開閉部を開放状態にし、子供を子供用補助椅子に乗せた後、開閉部を閉じて使用する。【００１２】  本考案マントの切り込み部は、前身部中心付近に設けるのが良く、その深さは自転車と子供用補助椅子間の幅により適宜調節される。また、切り込み部は、単に切り込みがあれば十分であるが、Ｕ字型、切り込み先端部を円形にすることも可能である。図４、図５に切りこみ部の拡大図を示す。【００１３】  本考案マントの切り込み部の結合部材は、特に限定されないが、ファスナー、ボタン、マジックテープ（商標名）、フック、紐等を用いることが出来る。【００１４】  本考案マントの開閉部も同様に、ファスナー、ボタン、マジックテープ（商標名）、フック、紐等を用いることが出来る。また開閉部は下部が結合した状態でも良いし、完全に開け放すことが出来る状態でも良い。子供の昇降を効率良くするためには、開放型がより望ましい。開閉部の位置は、特に限定されないが、作業性の面から前身部に設けるより後身部に設ける方がよい。また、前身部と後身部との結合部に設けることも可能であるが、後身部中央に設けるのが最適である。【００１５】  本考案マントの裾部は、開放状のままでも良いが、ゴム・紐等の通穴を設けゴム等の伸縮性部材や紐、リボン等を通すことにより、下部からの雨風等から子供を守ることが出来る。【００１６】  本考案マントの襟刳り部は、必要に応じてスタンドカラーにしたり、リボン等をつけることにより、より一層首元が保護されので適宜用いることが出来る。【００１７】  本考案マントのその他の構造として、フード等の頭部保護部材を本考案マントの襟刳り部に公知の手法により取り付けることも可能である。【００１８】  本考案マントは、自転車本体のサドル柱に切り込み部を結合させることにより、自転車後ろ乗り子供用補助椅子にも使用することが可能である。
【産業上の利用可能性】
【００１９】    本考案のマントは、子供乗せ用補助椅子を設置して自転車を利用する場合において、雨、風、寒さ等から子供を守る場合に利用可能である。
【図面の簡単な説明】
【００２０】
【図１】本考案マントの正面図である。
【図２】本考案マントの背面図である。
【図３】本考案マントと自転車との結合状態を示す拡大図である。
【図４】本考案マントのＵ字型切り込み部の拡大図である。
【図５】本考案マントの切り込み部先端を円形にした場合の拡大図である。
【図６】使用状態を示す図。
【符号の説明】
【００１９】（１）切り込み部
（２）結合部材設置可能域
（３）襟部
（４）裾部
（５）開閉部
（６）ハンドル
（７）ハンドル柱
（８）子供乗せ用補助椅子の自転車との固定具
（９）ボタン
（１０）マジックテープ（商標名）
【図１】
0003109731.tif 000002
【図２】
0003109731.tif 000003
【図３】
0003109731.tif 000004
【図４】
0003109731.tif 000005
【図５】
0003109731.tif 000006
【図６】
0003109731.tif 000007
(57)【要約】      （修正有）【課題】携帯電話の置き忘れ、しまい忘れを発見する際、他人の電話を利用し、迷惑をかけたり、いやな顔をされたりする、不都合を解消する。【解決手段】携帯電話に発信器を取り付け、置き忘れ、しまい忘れた時に、外部スイッチを自分で押す事により音声が発信され、自分で容易に発見する事ができる。【選択図】図１
0003109736.tif 000002
【実用新案登録請求の範囲】
【請求項１】
携帯電話に発信器を取り付け、外部スイッチにより音声を発生させ、置き忘れ、しまい忘れ等を知らせる、携帯電話発見器。
【考案の詳細な説明】
【技術分野】
【０００１】  本考案は、携帯電話に発信器を取り付け、外部スイッチにより音声を発信させる携帯電話発見器に関するものである。
【背景技術】
【０００２】  従来の携帯電話には置き忘れ、しまい忘れ等の発見装置は無い。
【考案の開示】
【考案が解決しようとする問題】
【０００３】  これでは置き忘れ、しまい忘れの都度、他人の電話を利用し、他人に迷惑を掛けたり、嫌な顔をされたりする不便さがある。
【課題を解決するための手段】
【０００４】  そこで、携帯電話に発信器（図１）を取り付け、外部スイッチ（図２）を自分で押すことにより、音声を発信させるのである。
【考案の効果】
【０００５】  よって、置き忘れ、しまい忘れた時に、外部スイッチを自分で押すことにより、携帯電話より音声が発信されるため、他人に迷惑を及ぼすことなく、自分で容易に発見することができる。
【考案を実施するための最良の形態】
【０００６】  本考案に係る、携帯電話発見器は図１に示すように、発信器は、携帯電話本体への取り付け型でも内蔵型でもよい。外部スイッチは小型、軽量であり、紐等で固定できるものでもよい。
【図面の簡単な説明】
【０００７】
【図１】  本考案に係る、携帯電話発見器の斜面図である。
【図２】  本考案に係る、携帯電話発見器の外部スイッチの斜面図である。
【符号の説明】
【０００８】      １    紐部
２    発信器
３    携帯電話
４    外部スイッチ
５    ボタン
【図１】
0003109736.tif 000003
【図２】
0003109736.tif 000004
(57)【要約】【課題】研磨粗さが異なる複数の研磨作業において、ディスク保有数を低減すること。【解決手段】  円板型鋼板の両面に研磨材を設けてある研磨用ディスクにおいて、一方の面と他方の面で研磨材の粒度が異なる。研磨材が、ダイヤモンドであり、一方の面を粗研磨用とし、他方の面を仕上げ研磨用としてある。研磨材が、ダイヤモンドである。【選択図】図３
0003109733.tif 000002
【実用新案登録請求の範囲】
【請求項１】
円板型鋼板の両面に研磨材を設けてある研磨用ディスクにおいて、一方の面と他方の面で研磨材の粒度が異なることを特徴とする研磨用ディスク。
【請求項２】
請求項１記載の研磨用ディスクにおいて、前記研磨材が、ダイヤモンドであり、前記一方の面を粗研磨用とし、他方の面を仕上げ研磨用としてあることを特徴とする研磨用ディスク。
【請求項３】
請求項１記載の研磨用ディスクにおいて、前記研磨材が、ダイヤモンドと他の研磨材との混合物であり、前記一方の面を粗研磨用とし、他方の面を仕上げ研磨用としてあることを特徴とする研磨用ディスク。
【考案の詳細な説明】
【技術分野】
【０００１】
この考案は、円板型の鋼板製台金両面に研磨材を設けて形成される研磨用ディスクに関する。
【背景技術】
【０００２】
この種の研磨用ディスクは、両面に同じ粒度の研磨材（ダイヤモンド粒子）を設けた構成のものが市販されている。
【考案の開示】
【考案が解決しようとする課題】
【０００３】
従来の研磨用ディスクは、その使用において回転軸を有する手持ち工具に取付けられるが、研磨対象物が仕上げ研磨を必要とする場合には、ディスクを粗研磨用のものから仕上げ研磨用のものに交換する必要があった。従って、少なくとも２種類の粗さの異なる研磨を行なうには２枚のディスクが必要であった。
この考案は、研磨粗さが異なる複数の研磨作業において、ディスク保有数を低減することを目的とする。
【課題を解決するための手段】
【０００４】
この考案の手段は、円板型鋼板の両面に研磨材を設けてある研磨用ディスクにおいて、一方の面と他方の面で研磨材の粒度が異なることを特徴とする。従来の研磨用ディスクでは粗研磨と仕上げ研磨を行なうような場合には研磨材の粒度が異なる２枚のディスクを必要としていたが、この手段では一方の面と他方の面を使い分けることにより１枚の研磨用ディスクで足りる。
【０００５】
前記研磨材が、ダイヤモンドであり、前記一方の面を粗研磨用とし、他方の面を仕上げ研磨用とした構成とするのがよい。また、前記研磨材は、ダイヤモンドと他の研磨材との混合物である構成としてもよい。この構成では、比較的高価な研磨用ダイヤモンドディスクの保有数量を低減できる。
【考案の効果】
【０００６】
請求項１に記載の考案は、１枚の研磨用ディスクで２種類の粗さの研磨ができるので、研磨できる粗さの種類に対して、ディスク保有枚数を従来の半分にすることができ、携帯する場合も都合がよい効果を奏する。
請求項２、請求項３に記載の考案は、比較的高価な研磨用ダイヤモンドディスクの保有数量を低減できるから、経済性が得られる効果を奏する。
【実施例１】
【０００７】
実施例の研磨用ディスク１は、図１〜図３に示すように、台金２、研磨材３、４、等で構成されている。台金２は、工具鋼で、厚さ１ｍｍ程度、直径１００ｍｍの円板に形成され、中心には回転軸に支持可能とする円孔１１を設けてある。台金２の一方の面には、図１、図３に示すように、円孔１１の周辺部１２を除いた残りの部分１３に研磨材３を保持させてある。また台金２の他方の面には、図２、図３に示すように、前記と同様に円孔１１の周辺部１４を除いた残りの部分１５に前記研磨材３とは異なる粒度の研磨材４を保持させてある。研磨材３は、粗研磨用としてのもので、８０メッシュのダイヤモンド粒子であり、研磨材４は仕上げ研磨用としてのもので、３００メッシュのダイヤモンド粒子である。研磨材３、４はいずれも台金２に対してニッケルメッキにより保持されている。なお、研磨材の粒度は、一般的には粗研磨用として５０〜１００メッシュ、仕上げ研磨用として１５０〜６００メッシュの範囲から選択したものとするのがよい。また、研磨材はダイヤモンドと他のものとを混合したものであっても差支えない。
【０００８】
この研磨用ディスク１は、使用において先ず研磨材３の面を使用できるように通常の手持ち工具に取り付けて粗研磨を行い、次に研磨材４の面を使用できるようにして仕上げ研磨を行なう。これにより１枚の研磨用ディスク１で粗研磨と仕上げ研磨ができる。従って、この１枚の研磨用ディスク１で従来の研磨用ディスク２枚分の代わりをすることができ、保管や携行に便利がよい。
【産業上の利用可能性】
【０００９】
この研磨用ディスクは、修理業者用、個人向け工作用としての用途がある。
【図面の簡単な説明】
【００１０】
【図１】本考案の一実施例を示す正面図である。
【図２】同実施例の背面図である。
【図３】図１のＡ−Ａ断面図である。
【符号の説明】
【００１１】
１    研磨用ディスク
２    台金
３、４    研磨材
１１  円孔
１２  円孔の周辺部
１３  部分
１４  円孔の周辺部
１５  部分
【図１】
0003109733.tif 000003
【図２】
0003109733.tif 000004
【図３】
0003109733.tif 000005
(57)【要約】      （修正有）【課題】本考案は狭い浴室内で入浴用椅子を使用する際、洗面器の載置台を別に備える事なく浴室を効率的に使用でき、また床に洗面器を置くことで足腰に負担がかかる事を軽減する入浴用椅子を提供する。【解決手段】座板１ａに脚１ｂを設けた入浴用椅子１において、前記座板１ａの下面側に、洗面器の載置台５を出没可能に設けた入浴用椅子。【選択図】図１
0003109739.tif 000002
【実用新案登録請求の範囲】
【請求項１】
座板１ａに脚１ｂを設けた入浴用椅子１において、前記座板１ａの下面側に、洗面器の載置台５を出没可能に設けた入浴用椅子。
【考案の詳細な説明】
【技術分野】
【０００１】本考案は洗面器の載置台を座板の下に収納可能に設けた入浴用椅子に関するものである。
【背景技術】
【０００２】入浴用椅子は座るだけのものであり、洗面器の載置台は別に設けていた。
【考案の開示】
【考案が解決しようとする課題】
【０００３】入浴用椅子と洗面器の載置台を両方備えることは、平均的浴室の広さを考えると狭くなり無理がある。また浴室床に洗面器を置くと入浴用椅子に座った状態では遠すぎて足腰に負担がかかる。従って入浴用椅子と洗面器の載置台を一体化することにより前述の欠点を解決しようとするものである。
【課題を解決するための手段】
【０００４】上記欠点を解決するための本考案の入浴用椅子は、座板の下面側に、洗面器の載置台を出没可能に設けたものである。
【考案の効果】
【０００５】上記のように入浴用椅子の下面側に伸縮しながら収納できるため、場所をとらず使用者と洗面器との距離も調整できると共に足腰の負担を軽減する。さらに、入浴用椅子に一体化されたものと同時に、既存の入浴用椅子に後付できるため、現在使用中の入浴用椅子が引き続き使用可能である。
【考案を実施するための最良の形態】
【０００６】入浴用椅子の下面側に伸縮パイプを凹型部材で固定し、伸縮パイプの先端に円形の洗面器の載置台を取り付ける。伸縮パイプにより、入浴用椅子の下面側に洗面器の載置台を収納できる。洗面器の載置台の円形部分は厚みがあり、洗面器底を安定させる。洗面器の載置台の先端部分に引き出す際の指の入る空間を作る。また、各伸縮パイプ内部にはスプリング又は平板を付けストッパーとする。
【実施例】
【０００７】以下、添付図面に従って実施例を説明する。
図１において１は入浴用椅子であり、その座板１ａの下面側に伸縮パイプ２を固定部材３を使用しネジ４で取り付ける。１ｂは脚である。伸縮パイプ２は大２ａ、中２ｂ、小２ｃの内径の異なる３本のパイプから成り、伸縮自在となっていて、伸縮時には、内部のストッパー（図示せず）で外れないようになっている。【０００８】伸縮パイプ２ｃの先端には、洗面器の載置台５が付けられている。【０００９】図１の伸縮パイプは丸でも角でも形状は問わない。取り付け位置は前後左右にも可能である。
【図面の簡単な説明】
【００１０】
【図１】実施例の入浴用椅子の斜視図である。
【図２】図１の側面図である。
【図３】図１の洗面器の載置台の平面図である。
【符号の説明】
【００１１】１      入浴用椅子
１ａ    座板
１ｂ    脚
２      伸縮パイプ
２ａ    伸縮パイプ大
２ｂ    伸縮パイプ中
２ｃ    伸縮パイプ小
３      固定部材
４      ネジ
５      洗面器の載置台
【図１】
0003109739.tif 000003
【図２】
0003109739.tif 000004
【図３】
0003109739.tif 000005
(57)【要約】      （修正有）【課題】トイレで音楽を聞きたいが、狭いトイレ内で邪魔にならずに、簡単に音楽を聞く事が出来るものを提供する。【解決手段】音楽装置をトイレの天井に付けることで邪魔にならず、また照明ソケットを利用することで簡単に取り付けられ、トイレのスイッチを入れるだけで音楽を聞くことができる。【選択図】図１
0003109732.tif 000002
【実用新案登録請求の範囲】
【請求項１】
トイレ天井の電球を外し音楽装置を付けると、トイレの照明スイッチを入れるだけで、音楽が流れるソケット付きの音楽装置。
【考案の詳細な説明】
【技術分野】
【０００１】本考案は、トイレを快適にする為の音楽に関する。
【背景技術】
【０００２】従来のトイレには、簡単に音楽を聞く事が出来る装置が無かった。
【考案の開示】
【考案が解決しようとする課題】
【０００３】しかしながら、トイレに音楽を聞く事が出来る装置を置くとトイレ内が狭くなり、またスイッチを入れたり、切ったりの操作が面倒でした。
そこで、この考案はトイレ内で邪魔にならず、簡単な操作で音楽を聞く事が出来る装置を提供することを課題とする。
【課題を解決するための手段】
【０００４】以上の課題を解決するために、考案はトイレ天井の電球ソケットに音楽を聞く事が出来る装置を付ける。
【考案の効果】
【０００５】考案によれば、音楽を聞く事が出来る装置は邪魔にならずに、トイレ照明のスイッチを入れるだけで簡単にトイレで音楽を聞く事が出来る。
【考案を実施するための最良の形態】
【０００６】この考案の一実施形態を、図１に示す。
トイレ天井に付いている電球を外し、考案のソケット付き音楽装置を付ける。
これだけでトイレの照明スイッチを入れると音楽を聞く事が出来、照明スイッチを切ると音楽もとまる。
それは、音楽装置が電気が通ると音楽を流し、電気が止まると音楽も止まる構造だからです。
【図面の簡単な説明】
【０００７】
【図１】この考案の一実施形態を示す斜視図である。
【図２】この考案の電気の流れを示す配線図である。
【符号の説明】
【０００８】１  音楽装置本体            ２  天井のソケット
３  音楽装置のソケット      ４  電球
５  スピーカー              ６  本体スイッチ
７  ボリューム              ８  ＭＤやＭＰ３などの音楽メディア
９  リモコン                １０  トイレ照明のスイッチ
【図１】
0003109732.tif 000003
【図２】
0003109732.tif 000004